(57)【要約】【課題】円柱や球体などの湾曲した面への設置を容易にした光ファイバコイルを提供する。【解決手段】ポリイミド樹脂被覆を形成し次いで熱処理してポリイミド樹脂被覆の表面を炭素被覆とした被覆光ファイバを渦巻き形状に巻き、シリコン樹脂接着剤で渦巻き形状を固定した光ファイバコイル１００を円柱Ｃｙの周面に適合するように変形して接着により設置する。【効果】橋桁やガスタンクなどの湾曲した面に好適に光ファイバコイルを設置できる。【選択図】  図４
2004226902.tif 000002
【特許請求の範囲】
【請求項１】
ＵＶ硬化型樹脂被覆か、ポリイミド樹脂被覆か、ポリイミド樹脂被覆および炭素被覆かのいずれかを形成した被覆光ファイバを渦巻き形状に巻き、硬化後に弾力性または柔軟性を有する接着材料で渦巻き形状を固定したことを特徴とする光ファイバコイル。
【請求項２】
請求項１に記載の光ファイバコイルにおいて、前記接着材料が、シリコン樹脂接着剤またはゴムであることを特徴とする光ファイバコイル。
【請求項３】
ＵＶ硬化型樹脂被覆か、ポリイミド樹脂被覆か、ポリイミド樹脂被覆および炭素被覆かのいずれかを形成した被覆光ファイバを渦巻き形状に巻き、設置対象物の湾曲面に適合する湾曲形状に変形した後、その湾曲形状を接着剤で固定したことを特徴とする光ファイバコイル。
【請求項４】
請求項３に記載の光ファイバコイルにおいて、前記形状が、円柱周面または球体表面に適合した湾曲形状であることを特徴とする光ファイバコイル。
【請求項５】
ＵＶ硬化型樹脂被覆か、ポリイミド樹脂被覆か、ポリイミド樹脂被覆および炭素被覆かのいずれかを形成した被覆光ファイバを渦巻き形状に巻き、粘着テープで渦巻き形状を保持したことを特徴とする光ファイバコイル。
【発明の詳細な説明】
【０００１】
【発明の属する技術分野】
本発明は、光ファイバコイルに関し、さらに詳しくは、円柱や球体などの湾曲した面への設置を容易にした光ファイバコイルに関する。
【０００２】
【従来の技術】
従来、光ファイバを渦巻き形状に巻いた光ファイバコイルを用いて、音響，振動，回転成分または温度を測定する技術が知られている（例えば、非特許文献１および非特許文献２参照。）。
【０００３】
【非特許文献１】
鎌田弘志他著「沖テクニカルレビュー第１８９号  Ｖｏｌ．６９  Ｎｏ．１」沖電気発行、２００２年１月、ｐ．８０−８３
【非特許文献２】
武尾実、“地動の回転成分を観測する新しい地震計の開発”、［ｏｎｌｉｎｅ］、平成１２年１０月１８日、東京大学地震研究所、［平成１４年９月２８日検索］、インターネット＜ＵＲＬ：ｈｔｔｐ：／／ｗｗｗ．ｅｒｉ．ｕ−ｔｏｋｙｏ．ａｃ．ｊｐ／ＫＯＨＯ／ＫＯＨＯ／２６／２６−２．ｈｔｍｌ＞
【０００４】
【発明が解決しようとする課題】
従来知られている光ファイバコイルは、平面状で且つ硬質ケースに納められているので、平面の壁などには好適に設置できる。
しかし、円柱や球体などの湾曲した面には設置しにくい問題点がある。
そこで、本発明の目的は、円柱や球体などの湾曲した面への設置を容易にした光ファイバコイルを提供することにある。
【０００５】
【課題を解決するための手段】
第１の観点では、本発明は、ＵＶ硬化型樹脂被覆か、ポリイミド樹脂被覆か、ポリイミド樹脂被覆および炭素被覆かのいずれかを形成した被覆光ファイバを渦巻き形状に巻き、硬化後に弾力性または柔軟性を有する接着材料で渦巻き形状を固定したことを特徴とする光ファイバコイルを提供する。
上記第１の観点による光ファイバコイルでは、設置対象物の湾曲した面に適合するように光ファイバコイルを変形することで、円柱や球体などの湾曲した面に好適に設置できる。
【０００６】
第２の観点では、本発明は、上記構成の光ファイバコイルにおいて、前記接着材料が、シリコン樹脂接着剤またはゴムであることを特徴とする光ファイバコイルを提供する。
上記第２の観点による光ファイバコイルでは、シリコン樹脂接着剤またはゴムを接着材料として使用することで硬化後でも容易に変形でき、円柱や球体などの湾曲した面に好適に設置できる。
【０００７】
第３の観点では、本発明は、ＵＶ硬化型樹脂被覆か、ポリイミド樹脂被覆か、ポリイミド樹脂被覆および炭素被覆かのいずれかを形成した被覆光ファイバを渦巻き形状に巻き、設置対象物の湾曲面に適合する湾曲形状に変形した後、その湾曲形状を接着剤で固定したことを特徴とする光ファイバコイルを提供する。
上記第３の観点による光ファイバコイルでは、設置対象物に適合する湾曲形状に予め固定しているため、設置対象物の湾曲面に好適に設置できる。
【０００８】
第４の観点では、本発明は、上記構成の光ファイバコイルにおいて、前記形状が、円柱周面または球体表面に適合した湾曲形状であることを特徴とする光ファイバコイルを提供する。
上記第４の観点による光ファイバコイルでは、円柱周面や球体表面に適合する湾曲形状に予め固定しているため、円柱や球体の湾曲した面に好適に設置できる。
【０００９】
第５の観点では、本発明は、ＵＶ硬化型樹脂被覆か、ポリイミド樹脂被覆か、ポリイミド樹脂被覆および炭素被覆かのいずれかを形成した被覆光ファイバを渦巻き形状に巻き、粘着テープで渦巻き形状を保持したことを特徴とする光ファイバコイルを提供する。
上記第５の観点による光ファイバコイルでは、粘着テープで渦巻き形状を保持しているだけなので、現場で設置対象物の湾曲面に合わせて光ファイバコイルを変形し、湾曲面に直接設置できる。
【００１０】
【発明の実施の形態】
以下、図に示す実施の形態により本発明をさらに詳細に説明する。なお、これにより本発明が限定されるものではない。
【００１１】
−第１の実施形態−
図１は、第１の実施形態にかかる光ファイバコイル１００を示す説明図であり、（ａ）は正面図、（ｂ）は平面図である。図２は、図１（ａ）のＡ−Ａ’断面図である。
この光ファイバコイル１００は、ポリイミド樹脂被覆を形成し次いで熱処理してポリイミド樹脂被覆の表面を炭素被覆とした被覆光ファイバ１を渦巻き形状に巻き、シリコン樹脂接着剤３で渦巻き形状を固定した構成である。
【００１２】
図３は、光ファイバコイル１００を円柱Ｃｙ（例えば、橋桁）の周面に設置した状態を示す正面図である。図４は、同平面図である。
シリコン樹脂接着剤３は硬化後でも弾力性または柔軟性を有しているため、光ファイバコイル１００を円柱Ｃｙの周面に適合するように変形して接着により設置することが出来る。
また、同様に、球体（例えば、ガスタンク）にも光ファイバコイル１００を好適に設置することが出来る。また、平板（例えば、壁）にも光ファイバコイル１００を好適に設置することが出来る。
【００１３】
なお、被覆光ファイバ１の被覆は、ＵＶ硬化型樹脂被覆やポリイミド樹脂被覆でもよい。
また、シリコン樹脂接着剤３の代わりにゴムで渦巻き形状を固定してもよい。
【００１４】
−第２の実施形態−
図５は、第２の実施形態にかかる光ファイバコイル２００を示す説明図であり、（ａ）は正面図、（ｂ）は平面図である。図６は、図５（ａ）のＡ−Ａ’断面図である。
この光ファイバコイル２００は、ポリイミド樹脂被覆を形成し次いで熱処理してポリイミド樹脂被覆の表面を炭素被覆とした被覆光ファイバ１を渦巻き形状に巻き、円柱Ｃｙ（例えば、橋桁）の周面に適合する湾曲形状に変形した後、その湾曲形状をポリイミド樹脂接着剤５で固定した構成である。
【００１５】
ポリイミド樹脂接着剤５の硬化後は湾曲形状を維持しているため、光ファイバコイル２００を円柱Ｃｙの周面に適合させて容易に接着により設置することが出来る。設置後は図３，図４と同様になる。
【００１６】
なお、被覆光ファイバ１の被覆は、ＵＶ硬化型樹脂被覆やポリイミド樹脂被覆でもよい。
また、ポリイミド樹脂接着剤５の代わりにＵＶ硬化型樹脂接着剤やグラファイト系樹脂接着剤やエポキシ樹脂接着剤や瞬間接着剤で湾曲形状を固定してもよい。
また、球体（例えば、ガスタンク）の表面に適合する湾曲形状に変形した後、その湾曲形状を接着剤で固定してもよい。
【００１７】
−第３の実施形態−
図７は、第３の実施形態にかかる光ファイバコイル３００を示す説明図であり、（ａ）は正面図、（ｂ）は平面図である。図８は、図７（ａ）のＡ−Ａ’断面図である。
この光ファイバコイル３００は、ポリイミド樹脂被覆を形成し次いで熱処理してポリイミド樹脂被覆の表面を炭素被覆とした被覆光ファイバ１を渦巻き形状に巻き、柔軟性のある粘着フィルム７で渦巻き形状を保持した構成である。
【００１８】
図９，図１０に示すように、光ファイバコイル３００を円柱Ｃｙの周面に適合するように変形して接着剤９で接着する。そして、接着剤９の硬化後、粘着フィルム７を除去する。
また、同様に、球体（例えば、ガスタンク）にも光ファイバコイル３００を好適に設置することが出来る。また、平板（例えば、壁）にも光ファイバコイル１００を好適に設置することが出来る。
【００１９】
なお、被覆光ファイバ１の被覆は、ＵＶ硬化型樹脂被覆やポリイミド樹脂被覆でもよい。
【００２０】
【発明の効果】
本発明の光ファイバコイルによれば、円柱や球体などの湾曲した面に好適に設置することが出来る。
【図面の簡単な説明】
【図１】第１の実施形態にかかる光ファイバコイルを示す正面図および平面図である。
【図２】図１のＡ−Ａ’断面図である。
【図３】第１の実施形態にかかる光ファイバコイルを円柱の周面に設置した状態を示す正面図である。
【図４】第１の実施形態にかかる光ファイバコイルを円柱の周面に設置した状態を示す平面図である。
【図５】第２の実施形態にかかる光ファイバコイルを示す正面図および平面図である。
【図６】図５のＡ−Ａ’断面図である。
【図７】第３の実施形態にかかる光ファイバコイルを示す正面図および平面図である。
【図８】図７のＡ−Ａ’断面図である。
【図９】第３の実施形態にかかる光ファイバコイルを円柱の周面に設置した状態を示す平面図である。
【図１０】
第３の実施形態にかかる光ファイバコイルを円柱の周面に設置した後、粘着テープを除去した状態を示す平面図である。
【符号の説明】
１          被覆光ファイバ
３          シリコン樹脂接着剤
５          ポリイミド樹脂接着剤
７          粘着フィルム
９          接着剤
１００，２００，３００        光ファイバコイル
【図１】
2004226902.tif 000003
【図２】
2004226902.tif 000004
【図３】
2004226902.tif 000005
【図４】
2004226902.tif 000006
【図５】
2004226902.tif 000007
【図６】
2004226902.tif 000008
【図７】
2004226902.tif 000009
【図８】
2004226902.tif 000010
【図９】
2004226902.tif 000011
【図１０】
2004226902.tif 000012